(57)【要約】【課題】表示板における端面からの光の漏れを遮ることにより、優れた見映えを維持可能な表示装置の提供。【解決手段】表示装置１００に設けられた表示領域１１には、光を出射させることで発光する発光目盛部１６が形成されている。表示装置１００の表示板３０は、透光性の部材によって板状に形成されており、発光目盛部１６を形成するプレート本体部３２、エッジライト光源４４から放射された光をプレート本体部３２に入射させる入射端部３４、プレート本体部３２を挟んでプレート本体部３２とは反対側に位置する外周端部３５を有している。表示板３０における外周端部３５の漏光端面３６は、当該端部３５によって保持された遮光リング７０によって覆われている。以上の構成により、漏光端面３６からの光の漏れが、遮光リング７０によって遮られる。【選択図】図２
2014025798.tif 000002
【特許請求の範囲】
【請求項１】
情報を表示する表示領域（１１）に、光を出射させることで発光する発光部（１６）が形成される表示装置であって、
前記発光部から出射される光を放射させる光源（４４）と、
透光性の材料によって板状に形成され、前記発光部を形成する表示本体部（３２）、前記光源から放射された光を前記表示本体部に入射させる入射端部（３４）、及び前記表示本体部を挟んで前記入射端部とは反対側に位置する反対端部（３５）、を有する表示板（３０）と、
前記表示板を支持する支持体（８５）と、
前記反対端部に保持されることで前記支持体から離間し、前記反対端部の端面（３６）を覆うことによって前記端面からの光の漏れを遮る遮光部材（７０）と、
を備えることを特徴とする表示装置。
【請求項２】
前記遮光部材は、当該遮光部材を形成する材料の復元力によって前記端面に接触することを特徴とする請求項１に記載の表示装置。
【請求項３】
前記反対端部は、前記表示板の外周側の端部に形成され、
前記遮光部材は、環状に形成されて、前記反対端部に外嵌されることを特徴とする請求項２に記載の表示装置。
【請求項４】
前記遮光部材は、
前記端面を覆う被覆部（７１）と、
前記表示領域を形成する前記表示板の前面（３１ａ）に向けて前記被覆部から立設されて、前記前面に接触する接触部（７３）と、
前記表示板において前記前面とは反対側に位置する裏面（３１ｂ）に向けて前記被覆部から立設されて、前記裏面に係止される係止部（７６）と、を有することを特徴とする請求項１〜３のいずれか一項に記載の表示装置。
【請求項５】
前記接触部は、前記表示領域に露出する範囲に、前記表示領域を加飾する加飾面部（７４）を形成することを特徴とする請求項４に記載の表示装置。
【請求項６】
前記表示板の板厚方向における前記端面の幅（ｗ１）は、前記板厚方向における前記表示本体部の厚さ（ｔ）よりも、小さいことを特徴とする請求項１〜５のいずれか一項に記載の表示装置。
【請求項７】
前記端面は、前記遮光部材に向けて凸状に突出するリブ（２７８）を形成することを特徴とする請求項１〜６のいずれか一項に記載の表示装置。
【請求項８】
前記反対端部の前記端面の向く方向に配置され、前記表示領域の向く表示方向（ＳＤ）に光を出射させることで発光する発光部材（６０）、をさらに備えることを特徴とする請求項１〜７のいずれか一項に記載の表示装置。
【発明の詳細な説明】
【技術分野】
【０００１】
本発明は、情報を表示する表示領域に、発光する発光部が形成される表示装置に関する。
【背景技術】
【０００２】
従来、例えば特許文献１のように、計器の備える文字板には、目盛り及び数字等の意匠が、発光可能な発光部として形成されている。加えて特許文献１の計器には、文字板の意匠を囲むようにして、リング状の導光部材が設けられている。この導光部材は、視認者によって視認可能な表示領域に露出しており、光源から入射させた光を文字板に向けて出射させる。以上の構成による計器は、導光部材から出射される光により、文字板において発光部を囲む部分を、間接照明させる。
【先行技術文献】
【特許文献】
【０００３】
【特許文献１】特開２００６−３１７１５４号公報
【発明の概要】
【発明が解決しようとする課題】
【０００４】
さて、特許文献１に記載された従来の表示装置では、文字板の外周側の端部は、この文字板を支持するケース等に組み付けられた遮光部材によって覆われている。こうした構成により、文字板における外周側の端部からの光漏れは、遮られることとなる。しかし、表示装置の構成によっては、上述の従来の如く、ケース等に保持された遮光部材によって文字板における外周側の端部を覆うことが困難となる場合がある。この場合、文字板における外周側の端部は、上述した特許文献１の計器の導光部材のように、表示領域に露出することとなる。
【０００５】
また一般に、発光部を発光させるための光を、例えば内周側の端部から入射させる形態の表示板が、知られている。こうした所謂エッジライト方式によって発光部を発光させる表示板では、発光部を挟んで内周側の端部とは反対側となる外周側の端部から、多量の光が出射されることとなる。故に、表示板の外周側の端部を覆うことが困難な表示装置に、エッジライト方式にて発光部を発光させる表示板を適用しようとすると、当該外周側の端面から表示領域に漏れ出る多量の光に起因して、表示装置の見映えは、著しく損なわれるおそれがあった。
【０００６】
本発明は、上記問題に鑑みてなされたものであって、その目的は、表示板における端面からの光の漏れを遮ることにより、優れた見映えを維持可能な表示装置を提供することである。
【課題を解決するための手段】
【０００７】
上記目的を達成するために、請求項１に記載の発明は、情報を表示する表示領域（１１）に、光を出射させることで発光する発光部（１６）が形成される表示装置であって、発光部から出射される光を放射させる光源（４４）と、透光性の材料によって板状に形成され、発光部を形成する表示本体部（３２）、光源から放射された光を表示本体部に入射させる入射端部（３４）、及び表示本体部を挟んで入射端部とは反対側に位置する反対端部（３５）、を有する表示板（３０）と、表示板を支持する支持体（８５）と、反対端部に保持されることで支持体から離間し、反対端部の端面（３６）を覆うことによって端面からの光の漏れを遮る遮光部材（７０）と、を備える表示装置とする。
【０００８】
この発明による遮光部材は、表示板の反対端部に保持されることにより、表示板を支持する支持体から離間し、且つ反対端部の端面を覆っている。故に、遮光部材を支持体に保持させることが困難であっても、表示板の反対端部の端面が表示領域に露出する事態は、回避され得る。以上により、入射端部から表示本体部に入射させた光源の光によって発光部を発光させる表示板であっても、発光部を挟んで入射端部とは反対側となる反対端部からの光の出射は、抑制される。このように、反対端部の端面からの光の漏れが反対端部に保持させた遮光部材にて遮らえる構成により、表示装置は、優れた見映えを維持可能となる。
【図面の簡単な説明】
【０００９】
【図１】本発明の第一実施形態によるコンビネーションメータの正面図である。
【図２】本発明の第一実施形態によるコンビネーションメータの機械的構成を示す図であって、図１のＩＩ−ＩＩ線断面図である。
【図３】本発明の第一実施形態によるコンビネーションメータの機械的構成を示す図であって、図１のＩＩＩ−ＩＩＩ線断面図である。
【図４】本発明の第一実施形態によるコンビネーションメータの電気的構成を示すブロック図である。
【図５】表示方向からの目盛プレートの斜視図である。
【図６】目盛プレートの特徴部分を説明するための図であって、図５のＶＩ−ＶＩ線断面図である。
【図７】背面方向からの遮光リングの斜視図である。
【図８】遮光リングの特徴部分を説明するための図であって、図７のＶＩＩＩ−ＶＩＩＩ線断面図である。
【図９】目盛プレート及び遮光リングよりなる一体物の表示方向からの斜視図である。
【図１０】目盛プレート及び遮光リングよりなる一体物の背面方向からの斜視図である。
【図１１】図１０のＸＩ−ＸＩ線断面図である。
【図１２】図１０のＸＩＩ−ＸＩＩ線断面図である。
【図１３】図１２の変形例を示す図である。
【発明を実施するための形態】
【００１０】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１１】
（第一実施形態）
図１は、本発明の第一実施形態によるコンビネーションメータ１００の正面図である。コンビネーションメータ１００は、車両の車室内に設けられたインスツルメントパネル内に収容され、図１に示す正面側を運転席側に向けて配置されている。
【００１２】
（基本構成）
以下、本発明の第一実施形態によるコンビネーションメータ１００の基本構成について説明する。コンビネーションメータ１００は、車両に搭載され、車両に関する種々の情報を表示する車両用の表示装置である。コンビネーションメータ１００は、スピードメータ１０、並びに図示されないタコメータ、水温計、及び燃料計等の計器によって構成されている。
【００１３】
スピードメータ１０は、コンビネーションメータ１００の搭載されている車両の走行速度を、情報として表示領域１１に表示する。スピードメータ１０の表示は、表示領域１１と、表示領域１１の外周側に形成される円環状のアンビエント発光領域１３等とを組み合わせることで構成されている。以下の説明では、図２に示すように、表示領域１１の向けられた方向を表示方向ＳＤとし、この表示方向ＳＤとは反対の方向を背面方向ＢＤとする。
【００１４】
図１，２に示すように、表示領域１１には、表示方向ＳＤに光を出射させることで発光する発光数字部１５及び発光目盛部１６が形成されている。表示領域１１は、表示板３０、及び表示板３０に沿って回転する指針２０等によって形成されている。表示板３０は、目盛プレート３１及び文字シート３７を有しており、表示導光板３８の表示方向に配置されている。目盛プレート３１及び文字シート３７は、共にポリカーボネート樹脂等の透光性の樹脂材料によって形成されている。
【００１５】
目盛プレート３１は、中央に開口を備える円形の板状に形成されており、後述する筐体８０のリヤケース８５等によって支持されている。目盛プレート３１は、プレート本体部３２及び入射端部３４を有している。プレート本体部３２は、目盛プレート３１の本体部分であり、外周側に向かうに従って表示方向ＳＤに湾曲している。プレート本体部３２において、背面方向ＢＤに位置する裏面３１ｂには、目盛プレート３１の径方向に沿った矩形の目盛溝３３が形成されている。入射端部３４は、目盛プレート３１における内周側の端部に形成されており、後述するエッジライト光源４４の表示方向ＳＤに位置している。入射端部３４は、エッジライト光源４４から放射された光をプレート本体部３２に入射させる。入射端部３４からプレート本体部３２に入射した光は、目盛溝３３によって表示方向ＳＤに反射されることにより、発光目盛部１６を発光表示させる。
【００１６】
文字シート３７は、目盛プレート３１の背面方向ＢＤに配置され、プレート本体部３２に沿うように湾曲している。文字シート３７には、車両の走行速度を表すためのアラビア数字を模った発光数字部１５が、遮光性の印刷等によって形成されている。表示導光板３８は、後述する表示板光源４２から放射された光を発光数字部１５に向けて導光する。表示導光板３８によって導光された光は、文字シート３７に形成された発光数字部１５と、目盛プレート３１とを透過して表示方向ＳＤに出射されることにより、この発光数字部１５を発光表示させる。
【００１７】
図２，３に示す指針２０は、透光性の樹脂によって形成されるポインタ２１と、遮光性の樹脂によって形成されるキャップ２２等とを組み合わせることによって構成されている。ポインタ２１は、表示板３０の中央部分から、当該表示板３０の径方向に沿って外周側に延伸している。キャップ２２は、表示板３０の中央部分に位置しており、ポインタ２１の基端部分を覆っている。指針２０は、ポインタ２１に入射させた光を表示方向ＳＤに放射させることにより、当該ポインタ２１を発光表示させる。
【００１８】
アンビエント発光領域１３は、アンビエント導光体５０によって導光された光を、アクリル円筒体６０から表示方向ＳＤに出射させることにより、発光する。アクリル円筒体６０及びアンビエント導光体５０は、アクリル樹脂等の透光性の樹脂材料によって形成されている。
【００１９】
アンビエント導光体５０は、部分円盤状に形成され、アクリル円筒体６０の背面方向ＢＤに配置されている。アンビエント導光体５０は、後述するアンビエント光源４３の表示方向ＳＤに位置するアンビエント入射部５１と、アクリル円筒体６０の背面方向ＢＤに位置するアンビエント出射部５３とを有している。アンビエント導光体５０は、アンビエント入射部５１から当該導光体５０内に入射させた光を、アクリル円筒体６０に向けてアンビエント出射部５３から表示方向ＳＤに出射させる。
【００２０】
アクリル円筒体６０は、円筒状に形成され、表示領域１１の外周側を囲むように配置されている。アクリル円筒体６０は、表示板３０と実質的に同軸上に配置されている。アクリル円筒体６０は、透光壁部６１、入射端面６３、及び出射端面６２を有している。透光壁部６１は、表示領域１１の外周側にて、表示方向ＳＤに沿って延伸している。入射端面６３は、表示方向ＳＤに沿う透光壁部６１の両端面のうち、背面方向ＢＤに位置する一方に形成されている。入射端面６３は、アンビエント出射部５３と対向しており、当該出射部５３から出射された光を、透光壁部６１に入射させる。出射端面６２は、透光壁部６１の両端面のうち、表示方向ＳＤに位置する他方に形成されている。以上の構成により、入射端面６３によってアクリル円筒体６０に入射された光は、出射端面６２から表示方向ＳＤに出射されることにより、アンビエント発光領域１３を発光表示させる。
【００２１】
上述した表示板３０、指針２０、アクリル円筒体６０、及びアンビエント導光体５０等は、筐体８０に収容されており、雰囲気中の塵や埃等から当該筐体８０によって保護されている。筐体８０は、フロントガラス８１、フロントケース８３、リヤケース８５、及びリヤカバー８７等を互いに組み付けることによって構成されている。
【００２２】
次に、コンビネーションメータ１００の電気的構成を、図３，４に基づいて説明する。コンビネーションメータ１００は、回路基板４０に実装された、指針光源４１、表示板光源４２、エッジライト光源４４、アンビエント光源４３、ステッパーモータ４５、及びメータ制御部４６等によって電気的に構成されている。
【００２３】
指針光源４１、表示板光源４２、エッジライト光源４４、及びアンビエント光源４３は、例えば複数の発光ダイオード等によって構成されている。指針光源４１は、ポインタ２１を発光させる光源であって、例えば赤色の光を放出させる。表示板光源４２及びエッジライト光源４４は、発光数字部１５及び発光目盛部１６をそれぞれ発光させる光源であって、例えば白色の光を放出させる。アンビエント光源４３は、アンビエント発光領域１３を発光させる光源であって、例えば青色の光を放出させる。各光源４１〜４４は、メータ制御部４６に接続されており、メータ制御部４６から出力される駆動信号に基づいて、光を放射させる。
【００２４】
ステッパーモータ４５は、指針２０を回転させる機構である。ステッパーモータ４５の回転軸には、ポインタ２１が取り付けられている。ステッパーモータ４５は、メータ制御部４６に接続されており、メータ制御部４６から出力される制御信号に基づいて、指針２０を回転させる。
【００２５】
メータ制御部４６は、プログラムに基づいて作動するマイクロコンピュータ等によって構成されている。メータ制御部４６は、各光源４１〜４４に印加する駆動信号の電流値を増減させることにより、これらの発光を制御する。加えてメータ制御部４６は、ステッパーモータ４５に出力する制御信号によって、ポインタ２１の取り付けられた回転軸を駆動する。加えてメータ制御部４６には、車載用のLocal Area Network（車内ＬＡＮ）９１、外部のバッテリ９５、及びイグニッション・リレー９４等が接続されている。車内ＬＡＮ９１上には、電力供給制御回路９２が設けられている。電力供給制御装置９２は、運転者によるイグニッション・スイッチ９３の押圧操作を検知して、イグニッション・リレー９４に電圧を印加することで、当該リレー９４を通電状態にする。
【００２６】
以上の構成では、イグニッション・スイッチ９３への入力に基づいて車両のイグニッションがオン状態とされることにより、イグニッション・リレー９４を通じたメータ制御部４６への電力供給が開始される。これにより、メータ制御部４６は、車内ＬＡＮ９１に出力された車両に関する情報（例えば、車両の走行速度の情報）の取得を開始すると共に、各光源４１〜４４の発光制御及びステッパーモータ４５の回転制御を実施する。こうして、図１に示すような車両の走行速度に応じた指針表示が、スピードメータ１０に形成される。
【００２７】
（特徴部分）
次に、第一実施形態によるコンビネーションメータ１００の特徴部分である目盛プレート３１及び遮光リング７０の構成について、詳細に説明する。
【００２８】
図５，６に示す目盛プレート３１において、外周側の端部となる外周端部３５は、プレート本体部３２を挟んで入射端部３４とは反対側に位置している。外周端部３５は、目盛プレート３１の径方向においてアクリル円筒体６０（図２参照）の内周壁面６１ａ（図２参照）と対向する漏光端面３６を形成している。漏光端面３６は、背面方向ＢＤに向かうに従い、外周側に傾斜している。加えて、目盛プレート３１の裏面３１ｂにおける外縁には、凹形状の凹みが形成されている。これにより、目盛プレート３１の板厚方向における漏光端面３６の幅ｗ１は、板厚方向におけるプレート本体部３２の厚さｔよりも、小さくされている。
【００２９】
図７，８に示す遮光リング７０は、ＡＢＳ樹脂等の遮光性の樹脂材料によって円環状に形成されている。遮光リング７０は、被覆部７１、接触部７３、及び係止爪部７６を有している。被覆部７１は、円環状に形成された遮光リング７０の本体部分である。被覆部７１は、漏光端面３６（図６参照）に密着させる遮光面７２を形成している。遮光面７２は、遮光リング７０の内周側に向けられており、漏光端面３６と同程度の傾斜角度にて、背面方向ＢＤに向かうに従い外周側に傾斜している。また、遮光リング７０の軸方向に沿う遮光面７２の幅ｗ２は、漏光端面３６の幅ｗ１（図６参照）と同程度又は当該幅ｗ１よりも僅かに大きくされている。
【００３０】
接触部７３は、遮光リング７０の軸方向における被覆部７１の両端のうち、表示方向ＳＤに位置する一方から、内周側に向けて立設されている。接触部７３は、被覆部７１の周方向に沿った円環状に形成されている。接触部７３には、加飾面部７４（図９も参照）が設けられている。加飾面部７４は、接触部７３の外表面において、視認者から視認可能な領域であり且つ表示領域１１（図１参照）に露出する範囲に形成されている。加飾面部７４は、例えば金属のメッキ等によって形成されており、表示領域１１を加飾している。
【００３１】
係止爪部７６は、遮光リング７０の軸方向における被覆部７１の両端のうち、背面方向ＢＤに位置する他方から、内周側に向けて立設されている。遮光リング７０には、四つの係止爪部７６が設けられている。各係止爪部７６は、被覆部７１の周方向において等間隔にて配置されており、当該周方向に沿って円弧状に伸びている。各係止爪部７６は、漏光端面３６（図６参照）を軸方向に跨ぐことができるよう、外周側に撓み可能に形成されている。
【００３２】
図９，１０に示すように、遮光リング７０は、目盛プレート３１の表示方向ＳＤから背面方向ＢＤに向けて、当該プレート３１に外嵌される。このとき、図１１に示すように、背面方向ＢＤに向かうに従って外周側に傾斜する漏光端面３６によって外周側へと撓む各係止爪部７６は、漏光端面３６を跨ぎ、当該端面３６の背面方向ＢＤに達する。これにより、各係止爪部７６は、図１０，１１に示すように、目盛プレート３１において前面３１ａ（図９も参照）とは反対側に位置する裏面３１ｂに向けて、被覆部７１から立設された状態となる。以上により、裏面３１ｂの凹みに引っ掛かる各係止爪部７６は、目盛プレート３１の裏面３１ｂとの接触により、被覆部７１の表示方向ＳＤへの移動を規制する。
【００３３】
加えて、図１１，１２に示す被覆部７１は、遮光リング７０を形成する材料の復元力によって、遮光面７２を漏光端面３６に押し付けた状態となる。こうして、漏光端面３６に遮光面７２を密着させた被覆部７１は、当該端面３６を覆うことにより、この端面３６からの光の漏れを遮る。さらに、接触部７３は、表示領域１１（図１参照）を形成する目盛プレート３１の前面３１ａに向けて、被覆部７１から立設された状態となる。接触部７３は、目盛プレート３１の前面３１ａとの接触により、被覆部７１の背面方向ＢＤへの移動を規制する。
【００３４】
ここまで説明した第一実施形態の遮光リング７０は、目盛プレート３１の外周端部３５に保持されることにより、表示板３０を支持するリヤケース８５から離間し、且つ漏光端面３６を覆っている。故に、遮光リング７０をリヤケース８５等の構成に保持させることが困難であっても、漏光端面３６が露出する事態は、回避され得る。以上により、入射端部３４からプレート本体部３２に入射させた光が発光目盛部１６を発光させるエッジライト方式の表示板３０であっても、漏光端面３６からの光の出射は、抑制される。こうして漏光端面３６からの光の漏れが遮光リング７０によって遮らえることにより、コンビネーションメータ１００は、優れた見映えを維持可能となる。
【００３５】
また第一実施形態によれば、復元力によって漏光端面３６に被覆部７１を接触させる遮光リング７０は、遮光面７２と漏光端面３６との良好な密着状態を継続し得る。故に、遮光リング７０は、漏光端面３６からの光の漏れを遮る機能を、長期に亘って持続することができる。加えて、円環状の遮光リング７０が円盤状の漏光端面３６に外嵌されるので、遮光リング７０は、復元力の作用により、周方向の広範囲に亘って遮光面７２を漏光端面３６に密着させ得る。故に、漏光端面３６からの光の漏れを遮る遮光リング７０の機能は、さらに確実に発揮され得る。したがって、コンビネーションメータ１００の見映えは、長期に亘って確実に維持可能となる。
【００３６】
さらに第一実施形態によれば、接触部７３及び前面３１ａの間の接触と、係止爪部７６及び裏面３１ｂの間の接触とによって、被覆部７１は、背面方向ＢＤ及び表示方向ＳＤへの移動を共に規制されている。以上により、被覆部７１は、漏光端面３６に対するずれを抑制されるので、遮光面７２によって漏光端面３６を継続的に覆い続けることができる。
【００３７】
加えて、遮光リング７０を表示方向ＳＤから目盛プレート３１に嵌め込む構成により、接触部７３と比較して複雑な形状になり易い係止爪部７６を目盛プレート３１の裏面３１ｂ側に設けることができる。故に、係止爪部７６は、視認者によって視認可能な表示領域１１に露出しなくなる。したがって、遮光リング７０は、コンビネーションメータ１００の見映えを係止爪部７６によって損ねることなく、漏光端面３６からの光の漏れを遮ることができる。
【００３８】
また加えて第一実施形態によれば、接触部７３において表示領域１１に露出する範囲に形成された加飾面部７４が表示領域１１を加飾するので、コンビネーションメータ１００の見映えは、いっそう向上可能となる。
【００３９】
さらに加えて第一実施形態によれば、漏光端面３６の幅ｗ１がプレート本体部３２の厚さｔよりも小さくされているので、漏光端面３６の面積低減が可能となる。故に、遮光リング７０は、漏光端面３６を覆うことによる当該端面３６からの光の漏れを遮る機能を発揮し易くなる。したがって、コンビネーションメータ１００の優れた見映えの維持される確実性は、いっそう高くなる。
【００４０】
またさらに第一実施形態では、漏光端面３６の向く方向にアクリル円筒体６０が配置されている。こうした形態において、漏光端面３６から光が出射されてしまうと、アンビエント発光領域１３の発光態様は、透光壁部６１に到達する漏光端面３６からの光によって著しく変化してしまう。故に、漏光端面３６からの光の漏れを遮光リング７０によって遮る構成は、こうしたアクリル円筒体６０が設けられるコンビネーションメータ１００に適用されることにより、当該メータ１００の優れた見映えを維持させる効果を顕著に発揮することができるのである。
【００４１】
尚、第一実施形態において、発光目盛部１６が特許請求の範囲に記載の「発光部」に相当し、プレート本体部３２が特許請求の範囲に記載の「表示本体部」に相当し、外周端部３５が特許請求の範囲に記載の「反対端部」に相当し、漏光端面３６が特許請求の範囲に記載の「端面」に相当し、エッジライト光源４４が特許請求の範囲に記載の「光源」に相当し、アクリル円筒体６０が特許請求の範囲に記載の「発光部材」に相当し、遮光リング７０が特許請求の範囲に記載の「遮光部材」に相当し、係止爪部７６が特許請求の範囲に記載の「係止部」に相当し、リヤケース８５が特許請求の範囲に記載の「支持体」に相当し、コンビネーションメータ１００が特許請求の範囲に記載の「表示装置」に相当する。
【００４２】
（第二実施形態）
図１３に示す本発明の第二実施形態は、第一実施形態の変形例である。第二実施形態による目盛プレート２３１の漏光端面２３６には、複数のリブ２７８が形成されている。各リブ２７８は、漏光端面２３６の一部を遮光面７２に向けて凸状に突出させることによって形成されている。各リブ２７８は、目盛プレート２３１の周方向において互いに等しい間隔を開けて、配置されている。各リブ２７８は、目盛プレート２３１の軸方向に沿って延伸している。
【００４３】
ここまで説明した第二実施形態でも、リブ２７８を含む漏光端面２３６が遮光リング７０によって覆われることにより、漏光端面２３６からの光の漏れは、遮られる。したがって、コンビネーションメータは、優れた見映えを維持可能となる。加えて、漏光端面２３６から突出する各リブ２７８は、径方向にて対向する遮光面７２に、高い面圧にて接触することとなる。故に、遮光リング７０及び目盛プレート２３１が車両の振動によって衝突を繰り返すことに起因して異音の発生する事態は、回避可能となる。
【００４４】
尚、第二実施形態において、漏光端面２３６が特許請求の範囲に記載の「端面」に相当する。
【００４５】
（他の実施形態）
以上、本発明による複数の実施形態について説明したが、本発明は、上記実施形態に限定して解釈されるものではなく、本発明の要旨を逸脱しない範囲内において種々の実施形態及び組み合わせに適用することができる。
【００４６】
上記実施形態において、遮光リング７０は、ＡＢＳ樹脂によって形成されていた。しかし、ポリプロピレン樹脂及びゴム系の材料等が遮光リングの素材として用いることができる。また、漏光端面及び遮光面は、接着剤等によって互いに密着させられていてもよい。さらに、遮光リングは、二色成形及びインサート成形等によって、目盛プレートと一体的に形成されていてもよい。
【００４７】
上記実施形態にように、接触部７３に加飾面部７４を設ける場合、当該加飾面部として形成される加飾は、コンビネーションメータの意匠に応じて、適宜変更されてよい。例えば、加飾面部７４に、模様等が形成されていてよい。こうした形態における遮光リングは、目盛プレートに正しい相対角度にて取り付けられなければならない。故に、例えば係止爪部を係止する係止溝を、目盛プレートの裏面３１ｂに形成する。そして、互いに隣接する係止溝間の周方向における各間隔を、不等とする。以上の構成によれば、目盛プレートに対する遮光リングの相対角度は、正確に位置決めされることとなる。
【００４８】
上記実施形態において、目盛プレート３１は、湾曲した円盤状に形成されていた。しかし、目盛プレートの形状は、適宜変更されてよく、例えば矩形等の多角形形状であってもよい。また、目盛プレートにおける「入射端部」及び「反対端部」の位置も、適宜変更されてよい。そして、遮光リングは、こうした目盛プレートの形態に応じて、例えば棒状等の形状に適宜変更されてよい。さらに、アンビエント発光領域１３を形成するアクリル円筒体６０等の構成は、適宜省略されていてもよい。
【００４９】
上記実施形態において、遮光リング７０は、表示方向ＳＤから目盛プレート３１に嵌め込まれる形態であった。そのため、係止爪部７６は、背面方向ＢＤに形成されていた。しかし、表示領域１１の見映えが損なわれないようであれば、係止爪部は、表示領域１１に露出していてもよい。
【００５０】
上記実施形態において、漏光端面３６の幅ｗ１は、プレート本体部３２の厚さｔよりも小さくされていた。しかし、漏光端面の形状は適宜変更されてよい。例えば漏光端面の幅ｗ１は、プレート本体部の厚さｔと同程度、又は当該厚さｔより大きくてもよい。
【００５１】
上記実施形態における表示板３０は、目盛プレート３１及び文字シート３７等によって構成されていた。しかし、表示板３０は、単一の板状部材によって形成されていてもよい。具体的には、発光数字部及び発光目盛部等をエッジライト方式にて発光表示させる表示板が、コンビネーションメータに設けられていてもよい。また、表示板３０を支持する構成は、上記実施形態のようなリヤケース８５に限定されない。例えば、フロントケース８３及び回路基板４０等が、表示板を支持していてもよい。
【００５２】
以上、車両に搭載されるコンビネーションメータにおいて、車両の走行速度を表示するスピードメータに、本発明を適用した例を説明した。しかし、本発明は、スピードメータに限らず、例えばタコメータ、燃料計、及び水温計等に適用することができる。さらに、車両用に限らず、各種民生用機器、各種輸送機器等に用いられる表示装置全般に、本発明は適用されよい。
【符号の説明】
【００５３】
ＳＤ  表示方向、ｗ１  幅、ｔ  厚さ、１１  表示領域、１６  発光目盛部（発光部）、３０  表示板、３１ａ  前面、３１ｂ  裏面、３２  プレート本体部（表示本体部）、３４  入射端部、３５  外周端部（反対端部）、３６  漏光端面（端面）、４４  エッジライト光源（光源）、６０  アクリル円筒体（発光部材）、７０  遮光リング（遮光部材）、７１  被覆部、７３  接触部、７４  加飾面部、７６  係止爪部（係止部）、２７８  リブ、８５  リヤケース（支持体）、１００  コンビネーションメータ（表示装置）
【図１】
2014025798.tif 000003
【図２】
2014025798.tif 000004
【図３】
2014025798.tif 000005
【図４】
2014025798.tif 000006
【図５】
2014025798.tif 000007
【図６】
2014025798.tif 000008
【図７】
2014025798.tif 000009
【図８】
2014025798.tif 000010
【図９】
2014025798.tif 000011
【図１０】
2014025798.tif 000012
【図１１】
2014025798.tif 000013
【図１２】
2014025798.tif 000014
【図１３】
2014025798.tif 000015